(57)【特許請求の範囲】
【請求項１】
バネ性を有する係止片及びフランジが両側面に設けられた光アダプタをパネルに固定する光アダプタ固定構造において、
前記パネルと一体に設けられ、前記光アダプタの両側面間の幅と略同一の間隔をおいて配置された一対の係合フランジと、
前記係合フランジに設けられ、前記係止片と係合することで前記光アダプタの挿入方向以外の方向への移動を規制する係合部とを備え、
前記係合フランジの一端面は、前記係止片が前記係合部と係合した際に、前記フランジと当接することで前記光アダプタの挿入方向への移動を規制する
ことを特徴とする光アダプタ固定構造。
【請求項２】
前記係合フランジに設けられ、前記光アダプタの挿入をガイドするガイド片を備えた
ことを特徴とする請求項１記載の光アダプタ固定構造。
【請求項３】
前記パネルの前記一対の係合フランジ間に設けられ、前記光アダプタを挿入可能とする挿入口を備えた
ことを特徴とする請求項１記載の光アダプタ固定構造。
【請求項４】
請求項１から請求項３のうちのいずれか１項記載の光アダプタ固定構造を備えた
ことを特徴とする光アダプタ実装機器。
【請求項５】
前記光アダプタ固定構造のパネルは、光ファイバケーブルを収納する余長処理パネルである
ことを特徴とする請求項４記載の光アダプタ実装機器。
【発明の詳細な説明】
【技術分野】
【０００１】
この発明は、光通信システムに用いられる光ファイバケーブルの光コネクタ同士を接続する光アダプタをパネルに固定する光アダプタ固定構造、及び、これを備えた光アダプタ実装機器に関するものである。
【背景技術】
【０００２】
従来の光アダプタ固定構造は、バネ性を有する係止片及びフランジが両側面に設けられた光アダプタと、係止片−フランジ間の寸法と略同一の板厚を有し、挿入口が設けられたパネルとから構成されている。そして、パネルの挿入口に光アダプタを挿入し、係止片をパネルに引っ掛けることで、係止片とフランジによりパネルを挟み込み、光アダプタをパネルに固定している（例えば特許文献１参照）。
また、図９に示すように、パネル２００に、挿入口３００１を有する別部品３００を取り付け、この別部品３００の挿入口３００１に光アダプタ１００を挿入することで固定するものも知られている。なお、符号１００１は、光アダプタ１００に設けられたバネ性を有する係止片であり、符号１００２は、光アダプタ１００に設けられたフランジである。
【先行技術文献】
【特許文献】
【０００３】
【特許文献１】特開２００３−４３２９６号公報
【発明の概要】
【発明が解決しようとする課題】
【０００４】
しかしながら、光アダプタの係止片−フランジ間の寸法が不偏であるため、従来の光アダプタ固定構造では、当該寸法と略同一な板厚を有するパネルを選択する必要があった。特に、ＬＣコネクタ等のように、ねじ固定用の穴がフランジに開いていない光アダプタを固定する場合には、上記構造以外の手段がない。そのため、係止片−フランジ間の寸法に合わせるために、パネルの板厚を不必要に増やしたり、所定の板厚を有する別部品を追加で取り付けたりする必要がある。したがって、上記のような設計的制約によるコスト及び組立工数の増加が課題となっていた。
【０００５】
この発明は、上記のような課題を解決するためになされたもので、任意の板厚のパネルであっても光アダプタを固定することが可能な光アダプタ固定構造及び、これを備えた光アダプタ実装機器を提供することを目的としている。
【課題を解決するための手段】
【０００６】
この発明に係る光アダプタ固定構造は、パネルと一体に設けられ、光アダプタの両側面間の幅と略同一の間隔をおいて配置された一対の係合フランジと、係合フランジに設けられ、係止片と係合することで光アダプタの挿入方向以外の方向への移動を規制する係合部とを備え、係合フランジの一端面は、係止片が係合部と係合した際に、フランジと当接することで光アダプタの挿入方向への移動を規制するものである。
【発明の効果】
【０００７】
この発明によれば、上記のように構成したので、光アダプタを固定するために必要な係合寸法をパネルに一体の係合フランジ内に設けることで、任意の板厚のパネルであっても光アダプタを固定することが可能となる。
【図面の簡単な説明】
【０００８】
【図１】この発明の実施の形態１に係る光アダプタ固定構造を示す全体動作説明図である。
【図２】この発明の実施の形態１に係る光アダプタ固定構造の寸法関係を示す説明図であり、（ａ）光アダプタ挿入時を示す側面図であり、（ｂ）光アダプタ固定状態を示す側面図である。
【図３】この発明の実施の形態２に係る光アダプタ固定構造の説明図であり、（ａ）側面図であり、（ｂ）（ａ）のＡ−Ａ線断面図である。
【図４】この発明の実施の形態３に係る光アダプタ固定構造を示す全体動作説明図である。
【図５】この発明の実施の形態３に係る光アダプタ固定構造の寸法関係を示した説明図であり、（ａ）光アダプタ挿入時を示す側面図であり、（ｂ）光アダプタ固定状態を示す側面図である。
【図６】この発明の実施の形態４に係る光アダプタ実装機器の全体説明図であり、（ａ）上面図であり、（ｂ）側面図である。
【図７】この発明の実施の形態４に係る光アダプタ実装機器の主要部説明図である。
【図８】この発明の実施の形態４に係る光アダプタ実装機器の全体接続図である。
【図９】従来の光アダプタ固定構造を示す説明図であり、（ａ）光アダプタ挿入時を示す斜視図であり、（ｂ）光アダプタ固定状態を示す側面図である。
【発明を実施するための形態】
【０００９】
以下、この発明の実施の形態について図面を参照しながら詳細に説明する。
実施の形態１．
図１はこの発明の実施の形態１に係る光アダプタ固定構造を示す全体動作説明図であり、図２は光アダプタ固定構造の寸法関係を示した説明図である。
光アダプタ固定構造は、図１，２に示すように、光通信システムに用いられる光ファイバケーブルの光コネクタ同士を接続する光アダプタ１を固定するものであり、パネル２に設けられている。
【００１０】
光アダプタ１の両側面には、バネ性を有し、光アダプタ１の内部へ没入可能な係止片１１が設けられている。この係止片１１は、光アダプタ１のパネル挿入側から後方側に向かって突出するように傾斜して構成されている。
また、光アダプタ１の両側面には、係止片１１より後方側に所定間隔をおいて配置されたフランジ１２が一体に設けられている。
【００１１】
一方、パネル２には、パネル面に対して略垂直に、光アダプタ１の両側面間の幅と略同一の間隔をおいて略平行に配置された１対の係合フランジ２１が設けられている。なお図１では、係合フランジ２１は、パネル２から切り起こすことで構成されているが、これに限るものではない。また、係合フランジ２１には、光アダプタ１が挿入されることで係止片１１と係合する係合部２２が設けられている。この係合部２２により、挿入された光アダプタ１の挿入方向以外の方向への移動を規制することができる。また、係合フランジ２１の後方端面（図２の右側面）は、光アダプタ１が挿入されて係止片１１が係合部２２と係合した際に、フランジ１２と当接する当り面２３である。この当り面２３により、挿入された光アダプタ１の挿入方向への移動を規制することができる。
【００１２】
ここで、図２に示すように、光アダプタ１の係止片１１の後方端面−フランジ１２の前方端面間の寸法Ｌ１１と、係合フランジ２１の係合部２２の後方端面−当り面２３間の寸法Ｌ２１とは略同一に構成されている。また、光アダプタ１の底面−係止片１１の上面間の寸法Ｌ１２と、係合フランジ２１の底面−係合部２２の上面間の寸法Ｌ２２とは略同一に構成されている。
【００１３】
次に、上記のように構成された光アダプタ固定構造において、光アダプタ１をパネル２に固定する際の動作について図２を参照しながら説明する。
光アダプタ１をパネル２に固定する場合、図２に示すように、矢印方向から、光アダプタ１をパネル２の底面上を滑らせながら挿入していく。その後、光アダプタ１の係止片１１が係合フランジ２１の当り面２３と当接する。そして、さらに光アダプタ１を挿入していくと、当り面２３により押圧されることで、係止片１１がバネ性により光アダプタ１の内部側に没入していく。これにより、光アダプタ１をパネル２側にさらに挿入することができる。
【００１４】
そして、係止片１１の後方端が係合フランジ１の係合部２２の後方端にまで達すると、係止片１１に対する押圧が解消されるため、係止片１１がバネ性により光アダプタ１の内側から突出する。この際、係止片１１の後方端面と係合部２２の後方端面とが当接し、これとほぼ同時に、フランジ１２の前方端面と係合フランジ２１の当り面２３とが当接する。このように、光アダプタ１の係止片１１及びフランジ１２が係合フランジ２１の係合部２２の後方端面−当り面２３間を挟み込むことで、光アダプタ１の上下左右方向への移動が規制される。
【００１５】
以上のように、この実施の形態１によれば、パネル２に設けた係合フランジ２１により光アダプタ１を固定するように構成したので、光アダプタ１の係止片１１−フランジ１２間の寸法に合わせるために、パネル２の板厚を不必要に増やしたり、所定の板厚を有する別部品を追加で取り付けたりする必要がなくなる。すなわち、任意の板厚のパネル２であっても光アダプタ１を固定することが可能となるため、コスト及び組立工数の増加を回避することができる。
【００１６】
実施の形態２．
図３はこの発明の実施の形態２に係る光アダプタ固定構造を示す説明図である。図３に示す実施の形態２に係る光アダプタ固定構造は、図１，２に示す実施の形態１に係る光アダプタ固定構造にガイド片２４を追加したものである。その他の構成は同様であり、同一の符号を付してその説明を省略する。
【００１７】
ガイド片２４は、係合フランジ２１に、挿入される光アダプタ１を囲うように一体で設けられたものであり、光アダプタ１の挿入をガイドするものである。
【００１８】
次に、上記のように構成された光アダプタ固定構造において、光アダプタ１をパネル２に固定する際の動作について図３を参照しながら説明する。
光アダプタ１をパネル２に固定する場合、図３に示すように、光アダプタ１をパネル２の底面上を滑らせながら挿入していく。この際、ガイド片２４により光アダプタ１の移動がガイドされるため、組付性が向上する。その他の動作は、実施の形態１と同様であるため、その説明を省略する。
【００１９】
以上のように、この実施の形態２によれば、係合フランジ２１に、光アダプタ１の挿入をガイドするガイド片２４を設けたので、実施の形態１における効果に加えて、光アダプタ１を容易に位置決めすることができるため、取り付け作業をオートマチック化でき、組立工数を低減させることができる。
【００２０】
実施の形態３．
実施の形態１，２では、パネル面に対して水平方向に光アダプタ１の挿入を行うことで固定を行う光アダプタ固定構造について示した。それに対して、実施の形態３では、パネル面に対して垂直方向に光アダプタ１の挿入を行うことで固定を行う光アダプタ固定構造について示す。
【００２１】
図４はこの発明の実施の形態３に係る光アダプタ固定構造を示す全体動作説明図であり、図５は光アダプタ固定構造の寸法関係を示す説明図である。
光アダプタ固定構造は、図４，５に示すように、光通信システムに用いられる光ファイバケーブルの光コネクタ同士を接続する光アダプタ１を固定するものであり、パネル２ｂに設けられている。なお、実施の形態３における光アダプタ１は、実施の形態１，２における光アダプタ１と同様であり、その説明を省略する。
【００２２】
一方、パネル２ｂには、パネル面に対して略垂直に、光アダプタ１の両側面間の幅と略同一の間隔をおいて略平行に配置された１対の係合フランジ２１ｂが設けられている。係合フランジ２１ｂはパネル２ｂから切り起こすことで構成され、また、この切り起こしにより、光アダプタ１を挿入可能とする挿入口２５が構成されている。また、係合フランジ２１ｂには、光アダプタ１が挿入されることで係止片１１と係合する係合部２２ｂが設けられている。この係合部２２ｂにより、挿入された光アダプタ１の挿入方向以外の方向への移動を規制することができる。また、係合フランジ２１ｂの後方端面（図５の右側面）は、光アダプタ１が挿入されて係止片１１が係合部２２ｂと係合した際に、フランジ１２と当接する当り面２３ｂである。この当り面２３ｂにより、挿入された光アダプタ１の挿入方向への移動を規制することができる。
【００２３】
ここで、図５に示すように、光アダプタ１の係止片１１の後方端面−フランジ１２の前方端面間の寸法Ｌ１１と、係合フランジ２１の係合部２２の後方端面−当り面２３間の寸法Ｌ２３とは略同一に構成されている。また、光アダプタ１の係止片１１の厚み寸法Ｌ１３と、係合フランジ２１の係合部２２の厚み寸法Ｌ２４とは略同一に構成されている。
【００２４】
次に、上記のように構成された光アダプタ固定構造において、光アダプタ１をパネル２ｂに固定する際の動作について図５を参照しながら説明する。
光アダプタ１をパネル２ｂに固定する場合、図５に示すように、矢印方向から、光アダプタ１をパネル２ｂの挿入口２５に挿入していく。この際、挿入口２５により光アダプタ１の移動がガイドされるため、組付性が向上する。その後、光アダプタ１の係止片１１が係合フランジ２１ｂの当り面２３ｂと当接する。そして、さらに光アダプタ１を挿入していくと、当り面２３ｂにより押圧されることで、係止片１１がバネ性により光アダプタ１の内部側に没入していく。これにより、光アダプタ１をパネル２ｂ側にさらに挿入することができる。
【００２５】
そして、係止片１１の後方端が係合フランジ１１の係合部２２ｂの後方端にまで達すると、係止片１１に対する押圧が解消されるため、係止片１１がバネ性により光アダプタ１から突出する。この際、係止片１１の後方端面と係合部２２ｂの後方端面とが当接し、これとほぼ同時に、フランジ１２の前方端面と係合フランジ２１ｂの当り面２３ｂとが当接する。このように、光アダプタ１の係止片１１及びフランジ１２が係合フランジ２１ｂの係合部２２ｂの後方端面−当り面２３間を挟み込むことで、光アダプタ１の上下左右への移動が規制される。
【００２６】
以上のように、この実施の形態３によれば、パネル２ｂに設けた係合フランジ２１ｂによりパネル面に対して垂直方向から光アダプタ１を挿入して固定するように構成しても、実施の形態１と同様に、光アダプタ１の係止片１１−フランジ１２間の寸法に合わせるために、パネル２ｂの板厚を不必要に増やしたり、所定の板厚を有する別部品を追加で取り付けたりする必要がなくなる。すなわち、任意の板厚のパネル２ｂであっても光アダプタ１を固定することが可能となるため、コスト及び組立工数の増加を回避することができる。
【００２７】
実施の形態４．
実施の形態１〜３では、光アダプタ１をパネル２に固定するための光アダプタ固定構造について示した。それに対して、実施の形態４では、これらの光アダプタ固定構造が適用された光アダプタ実装機器について示す。
図６はこの発明の実施の形態４に係る光アダプタ実装機器の全体説明図であり、図７は光アダプタ実装機器の主要部（余長処理パネル２ｃ）の説明図であり、図８は光アダプタ実装機器の全体接続図である。
【００２８】
光アダプタ実装機器の基板３には、図６〜８に示すように、光モジュール４，５が実装され、はんだ付け等により電気的に接続されている。また、基板３上には、光モジュール４，５に具備されている光ファイバケーブル４１，５１を収納する余長処理パネル２ｃが取り付けられている。この余長処理パネル２ｃ上には、実施の形態１〜３のいずれかの光アダプタ固定構造（図６，７では実施の形態１に係る光アダプタ固定構造）が設けられ、光アダプタ１が固定されている。そして、図８に示すように、余長処理パネル２ｃ上の光アダプタ１により、光モジュール４の一端側の光ファイバケーブル４１の光コネクタ４２と、光モジュール５の一端側の光ファイバケーブル５１の光コネクタ５２が接続されている。
【００２９】
また、基板３にはパネル２ｄが取り付けられている。このパネル２ｄには、実施の形態１〜３のいずれかの光アダプタ固定構造（図６では実施の形態３に係る光アダプタ固定構造）によって、２つの光アダプタ１が固定されている。そして、図８に示すように、一方の光アダプタ１に光モジュール４の他端側の光ファイバケーブル４１の光コネクタ４３が接続され、他方の光アダプタ１に光モジュール５の他端側の光ファイバケーブル５１の光コネクタ５３が接続されている。
【００３０】
なお、余長処理パネル２ｃ及びパネル２ｄへの光アダプタ１の固定方法は、上述した実施の形態１〜３の通りであり、その説明を省略する。
【００３１】
以上のように、この実施の形態４によれば、余長処理パネル２ｃ及びパネル２ｄに係合フランジ２１（２１ｂ）をそれぞれ設け、光アダプタ１を固定するように構成したので、余長処理パネル２ｃ及びパネル２ｄの板厚を自由に選択することができ、パネル２ｃ，２ｄの板厚を不必要に増やしたり、所定の板厚を有する別部品を追加で取り付けたりする必要がなくなる。したがって、コスト及び組立工数の増加を回避することができる。
【００３２】
なお、本願発明はその発明の範囲内において、各実施の形態の自由な組み合わせ、或いは各実施の形態の任意の構成要素の変形、若しくは各実施の形態において任意の構成要素の省略が可能である。
【符号の説明】
【００３３】
１  光アダプタ、２，２ｂ，２ｄ  パネル、２ｃ  余長処理パネル、３  基板、４，５  光モジュール、１１  係止片、１２  フランジ、２１，２１ｂ  係合フランジ、２２，２２ｂ  係合部、２３，２３ｂ  当り面、２４  ガイド片、２５  挿入口、４１，５１  光ファイバケーブル、４２，４３，５２，５３  光コネクタ。
【図１】
0005863501.tif 000002
【図２】
0005863501.tif 000003
【図３】
0005863501.tif 000004
【図４】
0005863501.tif 000005
【図５】
0005863501.tif 000006
【図６】
0005863501.tif 000007
【図７】
0005863501.tif 000008
【図８】
0005863501.tif 000009
【図９】
0005863501.tif 000010